(57)【特許請求の範囲】
【請求項１】
靴の内部から外方へ延びて外方へ折り曲げられた下方縁部（１８，２０；１１８，１２０；２１８，２２０；３１８，３２０；４１８，４２０；５１８，５２０；６１８，６２０；７１３ａ，７１８）を有している透湿性かつ防水性の甲革集成体（１１〜１５；１１１〜１１２；２１１〜２１３；３１１〜３１５；４１１〜４１２；５１１〜５１３）、
前記甲革集成体における外方へ折り曲げられた前記下方縁部が外周で接合されている外側周辺構成要素（２２；１２２；２２１；３２２；４２２；５２１；６２１ｂ；７２１ｂ）を有している中底（１６；１１６；２１６；３１６；４１６；５１６；６１６；７１６）、
前記甲革集成体における外方へ折り曲げられた前記下方縁部を前記中底の前記外側周辺構成要素に外周で接合する複数の縫い糸目（１７；１１７；２１７；３１７；４１７；５１７；６１７；７１７）、
前記中底の下方に接合された防水性外底（１９；１１９；２１９；３１９；４１９；５１９；６２３；７２３）、及び
不透湿性封止材料から作られかつ前記甲革集成体における外方へ折り曲げられた前記下方縁部を前記中底の前記外側周辺構成要素に少なくとも１つの封止領域で接合して前記の少なくとも１つの封止領域に防水性封止をもたらす防水性封止接合用要素（３２２ａ；４２２ａ；５２２ａ；６１９；７１９）を備えてなり、
前記防水性封止接合用要素（３２２ａ；４２２ａ；５２２ａ；６１９；７１９）の前記不透湿性封止材料が、前記中底（１６；１１６；２１６；３１６；４１６；５１６；６１６；７１６）の前記外側周辺構成要素（２２；１２２；２２１；３２２；４２２；５２１；６２１ｂ；７２１ｂ）を通って広がっているとともに、前記外側周辺構成要素の中に含浸されており、さらに、前記甲革集成体（１１〜１５；１１１〜１１２；２１１〜２１３；３１１〜３１５；４１１〜４１２；５１１〜５１３）における、外方へ折り曲げられた前記下方縁部（１８，２０；１１８，１２０；２１８，２２０；３１８，３２０；４１８，４２０；５１８，５２０；６１８，６２０；７１３ａ，７１８）の少なくとも一部に防湿封止状に接合されている防水性かつ透湿性の靴。
【請求項２】
前記防水性封止接合用要素（３２２ａ；４２２ａ；５２２ａ；６１９；７１９）の前記不透湿性封止材料が、流動状態で射出された硬化材料であることを特徴とする請求項１に記載の防水性かつ透湿性の靴。
【請求項３】
前記防水性封止接合用要素（３２２ａ；４２２ａ；５２２ａ；６１９；７１９）における、流動状態で射出された前記硬化材料が、熱可塑性材料、ポリウレタン、シリコーン及びポリマーからなる群から選ばれたものであることを特徴とする請求項２に記載の防水性かつ透湿性の靴。
【請求項４】
前記防水性封止接合用要素（３２２ａ；４２２ａ；５２２ａ）が、前記外底（１９；１１９；２１９；３１９；４１９；５１９）の一部から形成されていることを特徴とする請求項２に記載の防水性かつ透湿性の靴。
【請求項５】
前記防水性封止接合用要素が、前記中底（６１６；７１６）と前記外底（６２３；７２３）との間に配置された間底（６１９；７１９）の一部から形成されていることを特徴とする請求項２に記載の防水性かつ透湿性の靴。
【請求項６】
前記の少なくとも１つの封止領域が、複数の前記縫い糸目（１７；１１７；２１７；３１７；４１７；５１７；６１７；７１７）の周りに広がっている封止領域を含んでいることを特徴とする請求項１〜５のいずれか１つに記載の防水性かつ透湿性の靴。
【請求項７】
前記防水性封止接合用要素（３２２ａ；４２２ａ；５２２ａ；６１９；７１９）の前記不透湿性封止材料が、流動状態で射出された硬化材料であるとともに、複数の前記縫い糸目（１７；１１７；２１７；３１７；４１７；５１７；６１７；７１７）の周りに広がっていることを特徴とする請求項６に記載の防水性かつ透湿性の靴。
【請求項８】
前記甲革集成体（１１〜１５；１１１〜１１２；２１１〜２１３；３１１〜３１５；４１１〜４１２；５１１〜５１３）が、透湿性かつ防水性の膜（１３；１１３；２１３；３１３；４１３；５１３；６１３；７１３）を備えていることを特徴とする請求項１〜７のいずれか１つに記載の防水性かつ透湿性の靴。
【請求項９】
透湿性かつ防水性の前記膜（１３；１１３；２１３；３１３；４１３；５１３；６１３；７１３）が、前記甲革集成体（１１〜１５；１１１〜１１２；２１１〜２１３；３１１〜３１５；４１１〜４１２；５１１〜５１３）における外方へ折り曲げられた前記下方縁部（１８，２０；１１８，１２０；２１８，２２０；３１８，３２０；４１８，４２０；５１８，５２０；６１８，６２０；７１３ａ，７１８）に延びており、かつ、前記防水性封止接合用要素（３２２ａ；４２２ａ；５２２ａ；６１９；７１９）の前記不透湿性封止材料が、前記中底（１６；１１６；２１６；３１６；４１６；５１６；６１６；７１６）の前記外側周辺構成要素（２２；１２２；２２１；３２２；４２２；５２１；６２１ｂ；７２１ｂ）を通って広がっているとともに、前記外側周辺構成要素の中に含浸されており、さらに、前記甲革集成体における、外方へ折り曲げられた前記下方縁部に延びている透湿性かつ防水性の前記膜に、防湿封止状に接合されていることを特徴とする請求項８に記載の防水性かつ透湿性の靴。
【請求項１０】
前記甲革集成体における、外方へ折り曲げられた前記下方縁部が、高分子材料から作られた端部分（７１３ａ）を含んでおり、前記防水性封止接合用要素（７１９）が、高分子材料から作られた前記端部分（７１３ａ）に接合されていることを特徴とする請求項１〜９のいずれか１つに記載の防水性かつ透湿性の靴。
【請求項１１】
前記中底（１６；３１６）の前記外側周辺構成要素が、流動状態にあるプラスチック材料が透過することのできる織地から作られた外側リング（２２；３２２）からなることを特徴とする請求項１〜１０のいずれか１つに記載の防水性かつ透湿性の靴。
【請求項１２】
前記中底（１１６；４１６）の前記外側周辺構成要素が、流動状態にあるプラスチック材料が透過することのできる目の細かい外側メッシュ（１２２；４２２）からなることを特徴とする請求項１〜１０のいずれか１つに記載の防水性かつ透湿性の靴。
【請求項１３】
前記中底（２１６；５１６）の前記外側周辺構成要素が、前記中底の外側外周縁部からある距離の箇所に、前記中底の全外周に広がっている１連の外周穴（２２１；５２１）を備えていることを特徴とする請求項１〜１０のいずれか１つに記載の防水性かつ透湿性の靴。
【請求項１４】
前記中底（６１６；７１６）の前記外側周辺構成要素が、前記中底の内側構成要素（６２１ａ；７２１ａ）と外側構成要素（６２１ｂ；７２１ｂ）との間に配置されたメッシュの間隙（６２１ｂ；７２１ｂ）を備えており、これら両構成要素がそのメッシュに取り付けられていることを特徴とする請求項１〜１０のいずれか１つに記載の防水性かつ透湿性の靴。
【請求項１５】
前記中底の少なくとも内側構成要素（２１；１２１；３２１；４２１；６２１ａ；７２１ａ）が、使用者の足のための構造支持体を形成することを特徴とする請求項１〜１４のいずれか１つに記載の防水性かつ透湿性の靴。
【請求項１６】
前記外底（１９；１１９；２１９；３１９；４１９；５１９）が、これまた透湿性のものであることを特徴とする請求項１〜１５のいずれか１つに記載の防水性かつ透湿性の靴。
【請求項１７】
防水性かつ透湿性の靴に使用するための甲革／中底集成体であって、この甲革／中底集成体が、
この甲革／中底集成体の内側から外方へ延びて外方へ折り曲げられた下方縁部（１８，２０；１１８，１２０；２１８，２２０；３１８，３２０；４１８，４２０；５１８，５２０；６１８，６２０；７１３ａ，７１８）を有している透湿性かつ防水性の甲革集成体（１１〜１５；１１１〜１１２；２１１〜２１３；３１１〜３１５；４１１〜４１２；５１１〜５１３）、
前記甲革集成体における外方へ折り曲げられた前記下方縁部が外周で接合されている外側周辺構成要素（２２；１２２；２２１；３２２；４２２；５２１；６２１ｂ；７２１ｂ）を有している中底（１６；１１６；２１６；３１６；４１６；５１６；６１６；７１６）、
前記甲革集成体における外方へ折り曲げられた前記下方縁部を前記中底の前記外側周辺構成要素に外周で接合する複数の縫い糸目（１７；１１７；２１７；３１７；４１７；５１７；６１７；７１７）、及び
不透湿性封止材料から作られかつ前記甲革集成体における外方へ折り曲げられた前記下方縁部を前記中底の前記外側周辺構成要素に少なくとも１つの封止領域で接合して前記の少なくとも１つの封止領域に防水性封止をもたらす防水性封止接合用要素（３２２ａ；４２２ａ；５２２ａ；６１９；７１９）を備えてなり、
前記防水性封止接合用要素（３２２ａ；４２２ａ；５２２ａ；６１９；７１９）の前記不透湿性封止材料が、前記中底（１６；１１６；２１６；３１６；４１６；５１６；６１６；７１６）の前記外側周辺構成要素（２２；１２２；２２１；３２２；４２２；５２１；６２１ｂ；７２１ｂ）を通って広がっているとともに、前記外側周辺構成要素の中に含浸されており、さらに、前記甲革集成体（１１〜１５；１１１〜１１２；２１１〜２１３；３１１〜３１５；４１１〜４１２；５１１〜５１３）における、外方へ折り曲げられた前記下方縁部（１８，２０；１１８，１２０；２１８，２２０；３１８，３２０；４１８，４２０；５１８，５２０；６１８，６２０；７１３ａ，７１８）の少なくとも一部に防湿封止状に接合されている甲革／中底集成体。
【請求項１８】
前記防水性封止接合用要素（３２２ａ；４２２ａ；５２２ａ；６１９；７１９）の前記不透湿性封止材料が、流動状態で射出された硬化材料であることを特徴とする請求項１７に記載の甲革／中底集成体。
【請求項１９】
前記防水性封止接合用要素（３２２ａ；４２２ａ；５２２ａ；６１９；７１９）における、流動状態で射出された前記硬化材料が、熱可塑性材料、ポリウレタン、シリコーン及びポリマーからなる群から選ばれたものであることを特徴とする請求項１８に記載の甲革／中底集成体を備えてなる防水性かつ透湿性の靴。
【請求項２０】
靴の内側から外方へ延びて外方へ折り曲げられた下方縁部（１８，２０；１１８，１２０；２１８，２２０；３１８，３２０；４１８，４２０；５１８，５２０；６１８，６２０；７１３ａ，７１８）を有している透湿性かつ防水性の甲革集成体（１１〜１５；１１１〜１１２；２１１〜２１３；３１１〜３１５；４１１〜４１２；５１１〜５１３）を設けるステップ、
外側周辺構成要素（２２；１２２；２２１；３２２；４２２；５２１；６２１ｂ；７２１ｂ）を有している中底（１６；１１６；２１６；３１６；４１６；５１６；６１６；７１６）を設けるステップ、
前記甲革集成体における外方へ折り曲げられた前記下方縁部を前記中底の前記外側周辺構成要素に複数の縫い糸目（１７；１１７；２１７；３１７；４１７；５１７；６１７；７１７）で縫うことによって外周で接合するステップ、
防水性外底（１９；１１９；２１９；３１９；４１９；５１９；６２３；７２３）を設けるとともに前記防水性外底を前記中底の下方に接合するステップ、
不透湿性封止材料から作られている防水性封止接合用要素（３２２ａ；４２２ａ；５２２ａ；６１９；７１９）によって、前記甲革集成体における外方へ折り曲げられた前記下方縁部を前記中底の前記外側周辺構成要素に少なくとも１つの封止領域で接合して前記の少なくとも１つの封止領域に防水性封止をもたらすステップ、及び
前記防水性封止接合用要素（３２２ａ；４２２ａ；５２２ａ；６１９；７１９）の前記不透湿性封止材料を、前記中底（１６；１１６；２１６；３１６；４１６；５１６；６１６；７１６）の前記外側周辺構成要素（２２；１２２；２２１；３２２；４２２；５２１；６２１ｂ；７２１ｂ）を通して含浸させるとともに広げ、それによって、前記甲革集成体（１１〜１５；１１１〜１１２；２１１〜２１３；３１１〜３１５；４１１〜４１２；５１１〜５１３）における、外方へ折り曲げられた前記下方縁部（１８，２０；１１８，１２０；２１８，２２０；３１８，３２０；４１８，４２０；５１８，５２０；６１８，６２０；７１３ａ，７１８）の少なくとも一部に前記不透湿性封止材料を防湿封止状に接合するステップを含んでなる、防水性かつ透湿性の靴を製造するための方法。
【請求項２１】
流動状態にある前記防水性封止接合用要素（３２２ａ；４２２ａ；５２２ａ；６１９；７１９）の前記不透湿性封止材料を射出し、それによって前記不透湿性封止材料を硬化させることを特徴とする請求項２０に記載の方法。
【請求項２２】
前記防水性封止接合用要素における、流動状態で射出された前記硬化材料を、熱可塑性材料、ポリウレタン、シリコーン及びポリマーからなる群から選ぶことを特徴とする請求項２１に記載の方法。
【請求項２３】
前記外底を射出成形して、前記外底（１９；１１９；２１９；３１９；４１９；５１９）の一部から前記防水性封止接合用要素（３２２ａ；４２２ａ；５２２ａ）を形成することを特徴とする請求項２１に記載の方法。
【発明の詳細な説明】
【０００１】
技術分野
この発明は、防水性かつ透湿性の靴に関するものであり、また、防水性かつ透湿性の靴を製造するための方法に関するものである。この明細書中で用いられたように、「防水性の」（あるいは「不透水性の」）という用語は、とりわけ靴の構成要素に関し、そのような構成要素を通して水が通過するのを阻止する特性、特に、靴の外側から靴の内側へ水が侵入するのを阻止する特性を意味するものであり、また、「透湿性の」という用語は、とりわけ靴の構成要素に関し、湿気がそのような構成要素を通過することができる特性、特に、湿気が靴の内側から靴の外側へ通ることができる特性を意味するものである。
【０００２】
背景技術
一般に「アイデアル」（ＩＤＥＡＬ）と名付けられた製造方法が、靴製造の分野ですでに知られており、甲革の下方外周縁部をこれに対応する内張りといっしょに外方へ折り曲げることと、水平にされるのが都合がよい集成体としての中底におけるそのような縁部をそのように折り曲げられた縁部に外周で縫い合わせることとが必要とされている。
【０００３】
次に、底革が、接着剤によってあるいは型の中での直接射出によって接合される。この種の製造方法によれば、目に見える縫い合わせ糸目が外側縁部にあるので、可撓性に優れるとともに品質特性の高い靴がもたらされる。
【０００４】
これに反して、甲革の内部内張りに透湿性防水膜が備わっているときには、水が、縫い合わせ糸目を通して内側へ浸透するおそれがあるため、また、甲革のオープンカットを介するのと同様に中底を介して移動するおそれがあるため、防水性はほとんどまったくない。
【０００５】
このような欠点を克服するとともに、アイデアル法で作られた靴を不透水性のものにするために、現在では、透湿性かつ防水性の膜が設けられた内張りが、外方向への代わりに防水性中底の内側へ向けて折り曲げられる。
【０００６】
それ自体の上における甲革は、普通、底革にあるいは、内張りのためのシーラントとしても作用する防水材料からなる間底に、縫い合わされる。
【０００７】
しかしながら、この製造方法は、きわめて複雑なものであり、また、それゆえ費用のかかるものである。
【０００８】
別法の１つは、袋状の内張りを用いるとともに、その袋の底へ、甲革が外方へ折り曲げられて外周で縫い合わされる中底を当てがうというものである。
【０００９】
この製造方法もまた、きわめて複雑でありかつ扱いにくいものである。
【００１０】
発明の開示
この発明の１つの目標は、少なくとも甲革が不透水性かつ透湿性であって、製造上、簡単でかつ費用がかからなく、同時に、縫い合わせ縁部領域の封止の問題を解決するやり方によって、アイデアル法で作られる靴を提供することである。
【００１１】
この発明の別の目的は、単に防水性の底革であっても、あるいは防水性かつ透湿性の底革であっても、同じように都合よく製造することのできる靴を提供することである。
【００１２】
この発明の別の目的は、そのコストが従来におけるアイデアル型の靴のコストについて競争することのできる靴を提供することである。
【００１３】
この発明における好ましい１つの観点によれば、外方へ折り曲げられた下方縁部を有している透湿性かつ防水性の甲革集成体、この甲革集成体における外方へ折り曲げられたその下方縁部が外周で接合されている外側周辺構成要素を有している中底、甲革集成体における外方へ折り曲げられたその下方縁部をこの中底の外側周辺構成要素に外周で接合する複数の縫い糸目、中底の下方に接合された防水性外底、及び不透湿性封止材料から作られかつ甲革集成体における外方へ折り曲げられたその下方縁部を中底の外側周辺構成要素に少なくとも１つの封止領域で接合してその少なくとも１つの封止領域に防水性封止をもたらす防水性封止接合用要素を含んでなる、防水性かつ透湿性の靴が提供されている。好ましい実施態様では、その防水性封止接合用要素の不透湿性封止材料は、流動状態で射出されて、好ましくはその外底の一部として硬化した材料である。
【００１４】
この発明の別の観点によれば、外方へ折り曲げられた下方縁部を有している透湿性かつ防水性の甲革集成体、この甲革集成体における外方へ折り曲げられたその下方縁部が外周で接合されている外側周辺構成要素を有している中底、甲革集成体における外方へ折り曲げられたその下方縁部をこの中底の外側周辺構成要素に外周で接合する複数の縫い糸目、及び不透湿性封止材料から作られかつ甲革集成体における外方へ折り曲げられたその下方縁部を中底の外側周辺構成要素に少なくとも１つの封止領域で接合してその少なくとも１つの封止領域に防水性封止をもたらす防水性封止接合用要素を含んでなる、防水性かつ透湿性の靴に使用するための甲革／中底集成体が提供されている。
【００１５】
この発明のさらに別の観点によれば、靴の内側から外方へ延びて外方へ折り曲げられた下方縁部を有している透湿性かつ防水性の甲革集成体を設けるステップ、外側周辺構成要素を有している中底を設けるステップ、甲革集成体における外方へ折り曲げられたその下方縁部をこの中底の外側周辺構成要素に複数の縫い糸目で縫うことによって外周で接合するステップ、防水性外底を設けるとともにその防水性外底を中底の下方に接合するステップ、及び透湿性封止材料から作られている防水性封止接合用要素によって、甲革集成体における外方へ折り曲げられたその下方縁部を中底の外側周辺構成要素に少なくとも１つの封止領域で接合してその少なくとも１つの封止領域に防水性封止をもたらすステップを含んでなる、防水性かつ透湿性の靴を製造するための方法が提供されている。
【００１６】
この発明の特別な技術特性及び利点は、添付図面において非限定的な例としてだけ図示された、この発明におけるいくつかの好ましい実施態様における、次の詳細な説明からいっそう明らかになる。
【００１７】
この発明を実施するための方法
図１〜図４によれば、この発明に係る防水性かつ透湿性の靴が、第１実施態様において参照符号１０で表されている。
【００１８】
この靴１０は、例えば隠蔽顔料のない天然皮革から作られた透湿性甲革１１で形成された、透湿性かつ防水性の複合甲革構造体を備えてなり、この甲革には内張り１２が結合され、この内張りは、甲革１１に隣接して配置された透湿性かつ防水性の膜１３、透湿性の連続気泡発泡ポリマーあるいは他の適切な材料（フェルトなど）から作られた層１４、及び内側透湿性織地１５によって次々に構成されている。
【００１９】
他の場合には、この内張りは、層１４・１５の少なくとも１つがないように設けることができるのはもちろんであり、かつ／または、これらの層とは異なった材料からなるいくつかの層を備えることもできるが、これは、どんな場合でも、全体的に見て透湿性かつ防水性の内張りを設けることができるようなものである。
【００２０】
内張り１２のさまざまな部分は、例えば接着剤及び／またはシーラントによって、あるいは適切な熱接合処理によって封止されると都合がよい、選ばれたいくつかの縫い目領域において縫い付けることで、互いに接合することができ、その結果、内張り１２の防水性及び透湿性が損なわれるのを防止することができる。
【００２１】
内張り１２は、スポット接着により、すなわち、選ばれた領域でだけ甲革１１に結合され、その結果、膜１３を介する湿気の透過を防止し、それによって、互いに接合された甲革１１及び内張り１２で形成され、かつ、それ自体もまた透湿性かつ防水性である甲革集成体が作られる。
【００２２】
この靴１０には、靴の内側に関して外方へ折り曲げられた甲革１１の下方縁部１８に縫い合わせ糸目１７によって外周で接合された中底１６がさらに備わっている。
【００２３】
この靴１０には、参照符号１９によって全体が表され、防水性かつ透湿性であって下向き領域で中底１６に接合された底革、すなわち複合外底構造体がさらに備わっている。
【００２４】
この発明の好ましい１つの観点によれば、内張り１２の下方縁部２０は（図２及び図４に見られるように）、前記の複合甲革構造体が形成された後に織地１５の除去によってはぎ取るために剥き出しにされた膜１３と、甲革１１の縁部１８といっしょに、外方へ折り曲げられている。
【００２５】
このようにする代わりに、膜１３は、織地１５の大きさが膜１３の大きさよりも小さいという事実のために、複合甲革構造体の集成前（及び集成後）に剥き出しにしてもよい。
【００２６】
さらにまた、中底１６は、２つの構成要素、すなわち、内側構成要素２１と外側周縁構成要素２２とから作られている（図３）。内側構成要素２１は、構造支持体を構成するものであり、織地、皮革、フェルト、セルロース材料などのような透湿性材料、あるいは、湿気がそれを通して充分に通過することのできる穴開き材料から作ることができる。外側周縁構成要素２２は、内側構成要素２１を取り囲む外側リングによって構成されており、流動状態にあるプラスチック材料、とりわけポリウレタンが通ることができ、以下で明らかになるようにシーラントとして作用する織地から作られている。
【００２７】
中底のこれらの構成要素２１・２２は、縫い合わせ糸目２１ａによって互いに接合されている。
【００２８】
また、この発明によれば、底革１９は、少なくとも、縫い合わせ糸目１７と膜１３が取り付けられた内張り１２の縁部との領域で、射出成形されたプラスチック材料、とりわけポリウレタンから少なくとも一部が作られ、その結果、糸目１７及び内張り１２の中への射出成形作業の際に、流動性プラスチック材料、すなわちポリウレタンの浸透によって封止がもたらされ、靴の内側がこれらの臨界領域において外側から充分に分離されるとともに防水処理される。
【００２９】
特に、この流動性材料は、縫い合わせ糸目１７に関し外側構成要素２２を通して浸透することが可能であり、また、内張り１２の外方折り曲げ縁部２０及び／または甲革１１の外方折り曲げ縁部１８に接合することが可能である。それゆえ、このような目的のために、内張り１２（特に膜１３を含んでいる）の構成要素１３・１４・１５のうち少なくとも１つ以上、及び／または甲革１１の外方折り曲げ縁部１８、及び／または縫い合わせ糸目１７自体は、流動状態にあるプラスチック材料、とりわけポリウレタンが透過することのできる材料から構成することができる。
【００３０】
底革１９は、複合体であり、中底１６の下方に、フェルトあるいは穴開き材料のような透湿性材料から作られた充填層２３、防水性及び透湿性を示す膜２４、この膜２４に連結され、かつ、加水分解抵抗性、撥水性、透湿性の材料あるいは穴開き材料から作られた保護層２５及び、この保護層２５と地面に接する領域との間に延びるいくつかの貫通孔２７がある設置部２６が、次々に設けられている。それによって、複合底革１９は、防水性かつ透湿性のものである。
【００３１】
膜２４の外周縁部と保護層２５の外周縁部とは、設置部２６を甲革１１に接合するとともに縫い合わせ糸目１７で前記封止をももたらすポリウレタン塊によって封止されると都合がよい。
【００３２】
この靴は、例えば皮革から作られた、穴開きの、かつ／または透湿性の中敷すなわちインサート２８を挿入することによって、仕上げられる。
【００３３】
さて、図５及び図６によれば、第２実施態様では、図１〜図４の第１実施態様におけるのと同様な製造技術が再び用いられるが、しかし、異なった中底が備わっており、これは、参照符号１１６によって表されている。この中底１１６は、先の場合におけるのと同様に、織地、皮革、フェルト、セルロース材料などから、かつ／または穴開き材料から作られ、それによって、湿気が内側構成要素１２１を通過することを可能にする内側透湿性構成要素１２１と、縫い合わせ糸目１２１ａによってこの構成要素１２１に外周で接合された薄いメッシュ生地から作られた外側リング１２２とで、構成されている。したがって、この外側リング１２２は、流動状態にあるプラスチック材料、とりわけポリウレタンが透過することのできるものである。
【００３４】
用いられた接合方法は、先の場合と同じである。すなわち、内張り１１２に接合された甲革１１１の縁部は、外方へ折り曲げられるとともに、縫い合わせ糸目１１７によって中底１１６の環１２２に接合され、そして、底革１１９は、その後に射出成形されて、甲革１１１の縁部１１８の下方にある領域が、膜１１３の備わった内張り１１２の縁部１２０に封止される。特に、この流動性材料は、縫い合わせ糸目１１７に関し外側リング１２２を通して浸透することが可能であり、また、内張り１１２の外方折り曲げ縁部１２０及び／または甲革１１１の外方折り曲げ縁部１１８に接合することが可能である。それゆえ、このような目的のために、内張り１１２（特に膜１１３を含んでいる）の構成要素のうち少なくとも１つ以上、及び／または甲革１１１の外方折り曲げ縁部１１８、及び／または縫い合わせ糸目１１７自体は、流動状態にあるプラスチック材料、とりわけポリウレタンが透過することのできる材料から構成することができる。
【００３５】
さて、図７及び図８によれば、第３実施態様では、ここでは参照符号２１６で表された中底は、皮革、フェルト、セルロース材料など、及び／または穴開き材料のような透湿性材料の単一片から作られて、湿気がその単一片の中底を透過することができるようになっている。この中底には、外側縁部から所定距離の箇所に、その全外周に沿った少なくとも１列の穴２２１がさらに備わっており、その結果、中底２１６は、これらの穴２２１を通して、縫い合わせ糸目２１７により、縁部２２０と膜２１３の備わった内張り２１２とに接合された甲革２１１の折り曲げ縁部２１８に接合されている。
【００３６】
残部に関しては、その製造過程は先行する実施態様と同じであり、ポリウレタンの底革２１９の射出成形で、縫い合わせ糸目２１７とその隣接領域とが封止される。とりわけ、流動材料は、穴２２１を通して縫い合わせ糸目２１７のまわりに浸透することができるとともに、内張り２１２の外方折り曲げ縁部２２０を、かつ／または、甲革２１１の外方折り曲げ縁部２１８を接合することができる。従って、この目的のために、複合内張り２１２（とりわけ、膜２１３を含んでいる）の少なくとも１以上の構成要素、及び／または甲革２１１の外方折り曲げ縁部２１８、及び／または縫い合わせ糸目２１７それ自体、及び／または中底２１６それ自体は、流動状態においてプラスチック材料、とりわけポリウレタンが透過することのできる材料から作ることができる。
【００３７】
図９〜図１２によれば、この発明に係る防水性かつ透湿性の靴が、第4実施態様において参照符号３１０で表わされている。
【００３８】
この靴３１０は、例えば隠蔽顔料のない天然皮革から作られた透湿性甲革３１１で形成された、透湿性かつ防水性の複合甲革構造体を備えてなり、この甲革には内張り３１２が結合され、この内張りは、甲革３１１に隣接して配置された防水性かつ透湿性の膜３１３、透湿性の連続気泡発泡ポリマーから作られた層３１４、及び内側透湿性織地３１５によって次々に構成されている。
【００３９】
別の場合には、この内張りは、層３１４・３１５の少なくとも１つがないように設けることができるのはもちろんであり、かつ／または、これらの層とは異なった材料からなるいくつかの層を備えることもできるが、これは、どんな場合でも、全体的に見て透湿性かつ防水性の内張りを設けることができるようなものである。
【００４０】
内張り３１２のさまざまな部分は、接着剤及び／またはシーラントによって、あるいは適切な熱接合処理によって封止されると都合がよい、選ばれたいくつかの縫い目領域において縫い付けることで、互いに接合することができ、その結果、内張り３１２の防水性及び透湿性が損なわれるのを防止することができる。
【００４１】
内張り３１２は、スポット接着により、すなわち、選ばれた領域でだけ甲革３１１に結合され、その結果、膜３１３を介する湿気の透過を防止し、それによって、互いに接合された甲革３１１及び内張り３１２で形成され、かつ、それ自体もまた透湿性かつ防水性である甲革集成体が作られる。
【００４２】
この靴３１０には、靴の内側に関して外方へ折り曲げられた甲革３１１の下縁部３１８に縫い合わせ糸目３１７によって外周で接合された中底３１６もまた備わっている。
【００４３】
この靴３１０には、参照符号３１９によって全体が表され、防水性かつ透湿性であって中底３１６の下方に接合された底革、すなわち複合外底構造体がさらに備わっている。
【００４４】
この発明の好ましい１つの観点によれば、内張り３１２の下方縁部３２０は（特に図１０及び図１２に見られるように）、前記の複合甲革構造体が形成された後に織地３１５の除去によってはぎ取るために剥き出しにされた膜３１３と、甲革３１１の縁部３１８といっしょに、外方へ折り曲げられている。このようにする代わりに、膜３１３は、織地３１５の大きさが膜３１３の大きさよりも小さいという事実のために、複合甲革構造体の集成前（及び集成後）に剥き出しにしてもよい。
【００４５】
中底３１６は、２つの構成要素、すなわち、内側構成要素３２１と外側構成要素３２２とから作られている（図１１）。内側構成要素３２１は、構造支持体を構成するものであり、織地、皮革、フェルト、セルロース材料などのような透湿性材料、あるいは、湿気がそれを通して充分に通過することのできる穴開き材料から作ることができる。外側周縁構成要素３２２は、内側構成要素３２１を取り囲む外側リングによって構成されており、シリコーン、水性分散系におけるポリマー、溶剤溶液におけるポリマー、熱可塑性プラスチック製品、あるいはこれと同等の製品のようなシーラントが通ることができる織地から作られている。
【００４６】
中底のこれらの構成要素３２１・３２２は、縫い合わせ糸目３２１ａによって互いに接合されている。構成要素３２２は、甲革３１１への縫い合わせの後に、このようなシーラント（シリコーン、水性分散系におけるポリマー、溶剤溶液におけるポリマー、熱可塑性プラスチック製品、あるいはこれと同等の製品。いくつかの図の参照符号３２２ａを参照のこと）で含浸される。
【００４７】
特に、このシーラント３２２ａは、縫い合わせ糸目３１７に関し外側構成要素３２２を通して浸透することが可能であり、また、内張り３１２の外方折り曲げ縁部３２０及び／または甲革３１１の外方折り曲げ縁部３１８に接合することが可能である。それゆえ、このような目的のために、内張り３１２（特に膜３１３を含んでいる）の構成要素３１３・３１４・３１５のうち少なくとも１つ以上、及び／または甲革３１１の外方折り曲げ縁部３１８、及び／または縫い合わせ糸目３１７自体は、全体的に見て封止された形状構成をもたらして湿気がこのように封止された領域を通過するのを防止するように、そのようなシーラントが通過することのできる材料から構成することができる。
【００４８】
この発明におけるこのような特別の実施態様によれば、底革３１９は、この場合、例えばポリウレタンを用いて、初めは甲革／中底複合集成体とは別に作られ、次いで、少なくとも、縫い合わせ糸目３１７の箇所と膜３１３が備わった内張り３１２の縁部の箇所とにおいて、接着剤３１９ａにより靴のその残部に接合され、それによって、これらの臨界領域で靴の内側を外側から完全に隔離するとともに防水処理するための封止を形成する。この接着剤３１９ａは、シーラント３２２ａと、これに関係のある甲革集成体の部分とに接触するその面、及びシーラント３２２ａと、これに対応する底革３１９の部分とに接触するその面の双方に、防湿性封止がもたらされるように選ぶことができる。
【００４９】
接着剤による接合は、封止のために用いられたのと同じ材料で、また、構成要素３２２の含浸の後にそのシーラント３２２ａがまだ活性状態にある段階で、行うことができる。
【００５０】
底革３１９は、複合体であり、中底３１６の下方に、フェルトあるいは穴開き材料のような透湿性材料から作られた充填層３２３、防水性及び透湿性を示す膜３２４、この膜３２４に連結され、かつ、加水分解抵抗性、撥水性、透湿性の材料あるいは穴開き材料から作られた保護層３２５及び、この保護層３２５と地面に接する領域との間に延びるいくつかの貫通孔３２７がある設置部３２６が、次々に設けられている。それによって、複合底革３１９は、防水性かつ透湿性のものである。
【００５１】
膜３２４の外周縁部と保護層３２５の外周縁部とは、膜３２４と保護層３２５とに関して、例えば底革３１９のポリウレタン塊によって封止されると都合がよい。
【００５２】
この靴は、例えば皮革から作られた、穴開きであり、かつ／または透湿性の中敷すなわちインサート２８を挿入することによって、仕上げられる。
【００５３】
さて、図１３及び図１４によれば、第５実施態様では、図９〜図１２の先行実施態様におけるのと同様な製造技術が再び用いられるが、しかし、異なった中底が備わっており、これは、参照符号４１６によって表されている。この中底４１６は、先の場合におけるのと同様に、織地、皮革、フェルト、セルロース材料などから、かつ／または穴開き材料から作られ、それによって、湿気が内側構成要素４２１を透過することを可能にするとともに、縫い合わせ糸目４２１ａによってこの構成要素４２１に外周で接合された薄いメッシュ生地から作られた外側リング４２２で、構成されている。したがって、この外側リング４２２は、上記シーラント（シリコーン、水性分散系におけるポリマー、溶剤溶液におけるポリマー、熱可塑性プラスチック製品、あるいはこれと同等の製品）が透過することのできるものである。
【００５４】
用いられた接合方法は、図９〜図１２の先の場合と同じである。すなわち、内張り４１２に接合された甲革１１１の縁部は、外方へ折り曲げられるとともに、縫い合わせ糸目４１７によって中底４１６の環４２２に接合される。次いで、シーラント４２２ａで含浸が行われ、また、底革４１９を接合するために接着剤４１９が用いられ、甲革４１１の縁部４１８の下方にある領域が、膜４１３の備わった内張り４１２の縁部４２０に封止される。
【００５５】
特に、このシーラント４２２ａは、縫い合わせ糸目４１７に関し外側構成要素４２２を通して浸透することが可能であり、また、内張り４１２の外方折り曲げ縁部４２０及び／または甲革４１１の外方折り曲げ縁部４１８に接合することが可能である。それゆえ、このような目的のために、内張り４１２（特に、図１３に認められるように、膜４１３と中間充填層４１４とを含んでいる）の構成要素４１３・４１４・４１５のうち少なくとも１つ以上、及び／または甲革４１１の外方折り曲げ縁部４１８、及び／または縫い合わせ糸目４１７自体は、全体的に見て封止された形状構成をもたらして湿気がこのように封止された領域を通過するのを防止するように、そのようなシーラントが透過することのできる材料から構成することができる。甲革／中底複合集成体は、初めは複合外底集成体とは別に作られ、次いで、靴を形成するために、これら別々の２つの複合集成体を例えば接着剤４１９ａにより互いに接合することができる。この接着剤４１９ａは、シーラント４２２ａと、これに関係のある甲革集成体の部分とに接触するその面、及びシーラント４２２ａと、これに対応する底革４１９の部分とに接触するその面の双方に、防湿性封止がもたらされるように選ぶことができる。
【００５６】
さて、図１５及び図１６によれば、第６実施態様では、参照符号５１６によって表わされた中底が、皮革、フェルト、セルロース材料などのような透湿性材料の、かつ／または穴開き材料の単一片から作られ、それによって、湿気がこの単一片の中底を通過することができるようにされているとともに、この中底には、外側縁部から所定距離の箇所に、その全外周に沿った少なくとも１列の穴５２１がさらに備わっており、その結果、中底５１６は、これらの穴５２１を通して、縫い合わせ糸目５１７により、膜５１３の備わった内張り５１２の縁部５２０に連結された甲革５１１の折り曲げ縁部５１８に接合されている。
【００５７】
残部に関しては、その製造過程は先行する実施態様と同じであり、縫い合わせ糸目５１７の備わった領域の封止剤５２２ａと、接着剤５１９ａによるポリウレタン製底革５１９の接合とで、その縫い合わせ糸目５１７とその隣接領域とが封止される。
【００５８】
とりわけ、シーラント５２２ａは、穴５２１を通して縫い合わせ糸目５１７のまわりに浸透することができるとともに、内張り５１２の外方折り曲げ縁部５２０を、かつ／または、甲革５１１の外方折り曲げ縁部５１８を接合することができる。従って、この目的のために、内張り５１２（とりわけ、図１５に認められるように、膜５１３及び中間充填層５１４を含んでいる）の少なくとも１以上の構成要素５１３，５１４，５１５、及び／または甲革５１１の外方折り曲げ縁部５１８、及び／または縫い合わせ糸目５１７それ自体は、全体的に見て封止された形状構成をもたらして湿気がこのように封止された領域を通過するのを防止するように、そのようなシーラントが透過することのできる材料から構成することができる。甲革／中底複合集成体は、初めは複合外底集成体とは別に作られ、次いで、靴を形成するために、これら別々の２つの複合集成体を例えば接着剤５１９ａにより互いに接合することができる。この接着剤５１９ａは、シーラント５２２ａと、これに関係のある甲革集成体の部分とに接触するその面、及びシーラント５２２ａと、これに対応する底革５１９の部分とに接触するその面の双方に、防湿性封止がもたらされるように選ぶことができる。
【００５９】
図１７及び図１８によれば、この発明の好ましい別の観点に係る防水性かつ透湿性の靴が、第7実施態様において参照符号６１０によって表わされている。
【００６０】
この靴６１０は、例えば隠蔽顔料のない天然皮革から作られた透湿性甲革６１１で形成された、透湿性かつ防水性の複合甲革構造体を備えてなり、この甲革には内張り６１２が結合され、この内張りは、甲革６１１に隣接して配置された透湿性かつ防水性の膜６１３、透湿性の連続気泡発泡ポリマーから作られた層６１４、及び内側透湿性織地６１５によって次々に構成されている。
【００６１】
他の場合には、この内張りは、層６１４・６１５の少なくとも１つがないように設けることができるのはもちろんであり、かつ／または、これらの層とは異なった材料からなるいくつかの層を備えることもできるが、これは、どんな場合でも、全体的に見て透湿性かつ防水性の内張りを設けることができるようなものである。
【００６２】
内張り６１２のさまざまな部分は、例えば接着剤及び／またはシーラントによって、あるいは適切な熱接合処理によって封止されると都合がよい、選ばれたいくつかの縫い目領域において縫い付けることで、互いに接合することができ、その結果、内張り６１２の防水性及び透湿性が損なわれるのを防止することができる。
【００６３】
内張り６１２は、スポット接着により、すなわち、選ばれた領域でだけ甲革６１１に結合され、その結果、膜６１３を介する湿気の透過を防止し、それによって、互いに接合された甲革６１１及び内張り６１２で形成され、かつ、それ自体もまた透湿性かつ防水性である甲革集成体が作られる。
【００６４】
この靴６１０には、甲革６１１の外方折り曲げ下方縁部６１８に縫い合わせ糸目６１７によって外周で接合された中底６１６がさらに備わっている。
【００６５】
この靴６１０には、防水材料から作られ、かつ、好ましい１つの実施態様において中底６１６の下方で射出成形されてなる間底６１９がさらに備わっている。
【００６６】
この間底６１９の内部すなわち中心部に穴が開けられている場合には、充填層６１９ａが設けられる。
【００６７】
内張り６１２の下方縁部６２０は、好ましい１つの実施態様において、織地６１５の除去によってはぎ取るために剥き出しにされた膜６１３と、甲革６１１の縁部６１８といっしょに、外方へ折り曲げられている。このようにする代わりに、膜６１３は、織地６１５の大きさがこのような膜６１３の大きさよりも小さいという事実のために、複合甲革構造体の集成前及び集成後に剥き出しにしてもよい。
【００６８】
中底６１６はさらに、３つの構成要素、すなわち、内側構成要素６２１ａと外側周辺構成要素６２１ｂと外側構成要素６２２とから作られている。内側構成要素６２１ａと外側周辺構成要素６２１ｂとは、織地、皮革、フェルト、セルロース材料などのような透湿性材料、あるいは穴開き材料から作ることができる。また、外側構成要素６２２は、先の２つの構成要素が接着剤で接合されたメッシュによって構成され、これら２つの構成要素６２１ａ・６２１ｂの間に介在された外周帯域のない状態にされ、従って、流動状態にあるプラスチック、とりわけポリウレタンが通ることができる。
【００６９】
中底６１６のこれらの構成要素６２１ａ・６２１ｂ・６２２は、縫い合わせ糸目によって互いに接合することもできる。
【００７０】
また、この発明によれば、この場合の間底６１９は、射出成形されたポリウレタン、あるいは適合された他のシーラント材料から作られ、その結果、縫い合わせ糸目６１７の領域と、膜６１３の備わった内張り６１２の縁部の領域とに、流動状態にあるポリエチレンの浸透によって封止がもたらされ、靴の内側がこれらの臨界領域において外側から完全に分離されるとともに防水処理される。
【００７１】
シーラント材料、とりわけ流動性プラスチック材料あるいは射出成形された間底６１９のポリウレタンの形態にあるシーラント材料は、中底６１６の内側構成要素６２１ａと外側構成要素６２１ｂとの間の帯域で外側構成要素６２２を通して浸透するとともに、甲革集成体の外方折り曲げ縁部、とりわけ縫い糸目６１７の周りの領域において、また、とりわけ剥き出しにされた膜６１３に含浸されて、これらの臨界領域において防水封止がもたらされる。
【００７２】
このような場合を考えると、間底６１９は、下向き領域において、接着剤によりあるいは過成形により外底６２３へ接合される。
【００７３】
この靴は、例えば皮革から作られた、穴開きの、かつ／または透湿性の中底６５８によって、仕上げられる。
【００７４】
この発明における他の実施態様について上で述べたような方法のいずれか１つで、中底６１６を、甲革複合集成体に、かつ／または外底６２３と間底６１９とによって形成された下方複合底革構造体に接合することができる、ということは予想される。さらにまた、中敷６２８、中底６１６、間底６１９及び外底６２３によって形成されたいくつかの層は、とりわけ、先の実施態様について上で述べたような方法で、防水性かつ透湿性の膜が間底６１９及び／または外底６２３の中に組み入れられたときに、互いに相まって、この靴について全体として防水性かつ透湿性の構造体を形成する、ということは予想される。このようにする代わりに、外底６２３は、靴の透湿性が複合甲革集成体のためだけに確保されるように、中実の防水性材料から作ってもよい。同様に、先に説明したいくつかの実施態様について、底革構造体は、全体として、靴の透湿性が複合甲革集成体のためだけに確保され、防水性封止が甲革集成体の外方折り曲げ縁部における領域、とりわけこのような外方折り曲げ縁部をその複合底革構造体に接合する縫い糸目における領域にもたらされる排他的防水性を示すように作ることができる、ということは予想される。
【００７５】
図１９及び図２０によれば、この発明に係る透湿性の靴が、第８実施態様において参照符号７１０で表されている。
【００７６】
この靴７１０は、例えば隠蔽顔料のない天然皮革から作られた透湿性甲革７１１で形成された、透湿性かつ防水性の複合甲革構造体を備えてなり、この甲革には内張り７１２が結合され、この内張りは、甲革７１１に隣接して配置された透湿性かつ防水性の膜７１３、透湿性の連続気泡発泡ポリマーから作られた層７１４、及び内側透湿性織地７１５によって次々に構成されている。
【００７７】
他の場合には、この内張りは、層７１４・７１５の少なくとも１つがないように設けることができるのはもちろんであり、かつ／または、これらの層とは異なった材料からなるいくつかの層を備えることもできるが、これは、どんな場合でも、全体的に見て透湿性かつ防水性の内張りを設けることができるようなものである。
【００７８】
内張り７１２のさまざまな部分は、例えば接着剤及び／またはシーラントによって、あるいは適切な熱接合処理によって封止されると都合がよい、選ばれたいくつかの縫い目領域において縫い付けることで、互いに接合することができ、その結果、内張り７１２の防水性及び透湿性が損なわれるのを防止することができる。
【００７９】
内張り７１２は、スポット接着により、すなわち、選ばれた領域でだけ甲革７１１に結合され、その結果、膜７１３を介する湿気の透過を防止し、それによって、互いに接合された甲革７１１及び内張り７１２で形成され、かつ、それ自体もまた透湿性かつ防水性である甲革集成体が作られる。
【００８０】
この膜７１３は、剥き出しの部分を備える代わりに、その縁部に、防水性が連続して得られるように封止される、例えばポリウレタンのような高分子材料から作られた端部分７１３ａによって取り換えられる点で、先に説明した膜６１３とは異なっている。
【００８１】
この靴７１０には、甲革７１１における外方へ折り曲げられた下方縁部７１８に縫い合わせ糸目７１７によって外周で接合された中底７１６がさらに備わっている。
【００８２】
この靴７１０には、防水材料から作られ、かつ、好ましい１つの実施態様において中底７１６の下方で射出成形されてなる間底７１９がさらに備わっている。
【００８３】
この間底７１９は、その内部すなわち中心部に穴が開けられている場合には、先の実施態様におけるのと同様に、充填層７１９ａが設けられる。
【００８４】
内張り７１２の下方縁部７２０は、剥き出しにされた端部分７１３ａと、甲革７１１の縁部７１８といっしょに、外方へ折り曲げられている。
【００８５】
中底７１６はさらに、先の実施態様とちょうど同じように、３つの構成要素、すなわち、内側構成要素７２１ａと外周構成要素７２１ｂと外側構成要素６２２とから作られている。内側構成要素７２１ａと外周構成要素７２１ｂとは、織地、皮革、フェルト、セルロース材料などのような透湿性材料、あるいは穴開き材料から作ることができる。また、外側構成要素７２２は、先の２つの構成要素が接着剤で接合されたメッシュによって構成され、これら２つの構成要素７２１ａ・７２１ｂの間に介在された外周帯域のない状態にされ、従って、流動状態にあるプラスチック材料、とりわけポリウレタンが通ることができる。
【００８６】
中底７１６のこれらの構成要素７２１ａ・７２１ｂ・７２２は、縫い合わせ糸目によって互いに接合することもできる。
【００８７】
また、この発明によれば、この場合の間底７１９は、射出成形されたポリウレタン、あるいは適合された他のシーラント材料から作られ、その結果、縫い合わせ糸目７１７の領域と、端部分７１３ａの備わった内張り７１２の縁部の領域とに、流動状態にあるポリエチレンの浸透によって封止がもたらされ、靴の内側がこれらの臨界領域において外側から充分に分離されるとともに防水処理される。
【００８８】
シーラント材料、とりわけ流動性プラスチック材料あるいは射出成形された間底７１９のポリウレタンの形態にあるシーラント材料は、中底７１６の内側構成要素７２１ａと外側構成要素７２１ｂとの間の帯域で外側構成要素７２２を通して浸透するとともに、剥き出しにされた端部分７１３ａを接合して、防水封止がもたらされる。
【００８９】
このような場合を考えると、間底７１９は、下向き領域において、接着剤によりあるいは過成形により外底７２３へ接合される。
【００９０】
この靴は、例えば皮革から作られた、穴開きの、かつ／または透湿性の中底７２８によって、仕上げられる。
【００９１】
図２０に認められるように、いくつかの構成要素を含んでいる複合甲革は、上で説明したいくつかの実施態様のいずれか１つあるいはそれ以上の場合に、それぞれの複合甲革に置き換えることができる、ということは予想される。
【００９２】
実際に、この発明の意図した目標及び目的が達成されたことは認められた。
【００９３】
アイデアル型の靴は実際に得られたが、その構造体は、製造に際して、現在の靴よりもよりいっそう簡単にかつよりいっそう速く製造することができ、それに伴って時間とコストの減少がもたらされた。
【００９４】
この靴は、この場合には、甲革の領域と接地部の領域とにおいて、完全に防水性であるともに透湿性であるが、他の場合において、その接地部について単なる防水性（すなわち、透湿性のないもの）が好ましいときには、その接地部を、ポリウレタンあるいは適合された他の材料によって設けることができる。
【００９５】
このように思い描かれたこの発明は、非常に多くの改造及び変形を受け入れることができるが、これらはすべて、この発明の概念の範囲内にある。
【００９６】
従って、例えば、中底には、ポリウレタンの流れが横切るように適合された材料であればどのようなものからでも作られた外側リングを設けることができる。
【００９７】
この外側リングは、それがメッシュの帯によって構成されているときには、縫い合わせ、接着剤による接合、高周波熱接合、その中底への直接射出のようなさまざまな方式によって、中底の残部に固定することができる。
【００９８】
１つの別法として、その環は、どちらも剛性材料から作られるとともに同一のあるいは相異なる諸特性が備わっている、中底の内側部分と外側縁部との間に挿入することができる。
【００９９】
もう１つの別法では、縫い合わせ操作を促進するとともに、靴にいっそう品のよい外観を与えるために、接着剤による接合、縫い合わせ、高周波熱接合によって、付加的でいっそう剛性の外側リングを施すことができる。
【０１００】
実際に、不測の使用に互換性のある限り用いられた材料は、その寸法と同様に、要求に従ったどのようなものでもよい。
【０１０１】
この出願が優先権を主張しているイタリア特許出願ＰＤ９９Ａ０００２０７号及びＰＤ９９Ａ０００２６３号におけるいくつかの開示は、引用によって、この明細書に組み入れられる。
【図面の簡単な説明】
【図１】  図１は、破線で示された底革が備わっている、この発明の第１実施態様における靴の斜視図である。
【図２】  図２は、図１の靴の拡大横断面図である。
【図３】  図３は、図1及び図２における靴の諸構成要素の範囲内で構成されている集成体としての中底の斜視図である。
【図４】  図４は、図２における断面の細部の拡大図である。
【図５】  図５は、この靴の第２実施態様における細部の拡大断面図である。
【図６】図６は、図５における靴の諸構成要素の範囲内で使われた集成体としての中底の図である。
【図７】  図７は、この靴の第３実施態様における細部の拡大断面図である。
【図８】  図８は、図７における靴の諸構成要素の中に使われた集成体としての中底の図である。
【図９】  図９は、この発明の第4実施態様における靴の分解斜視図である。
【図１０】  図１０は、図９の靴の拡大された分解横断面図である。
【図１１】  図１１は、図９及び図１０における靴の諸構成要素の範囲内で構成された集成体としての中底の斜視図である。
【図１２】  図１２は、集成された状態にある、図１０における靴の細部の拡大断面図である。
【図１３】  図１３は、この靴の第5実施態様における細部の拡大断面図である。
【図１４】    図１４は、図１３における靴の諸構成要素の範囲内で使われた集成体としての中底の図である。
【図１５】  図１５は、この靴の第６実施態様における細部の拡大断面図である。
【図１６】  図１６は、図１５における靴の諸構成要素の範囲内で使われた集成体としての中底の図である。
【図１７】  図１７は、この靴の第７実施態様における細部の拡大断面図である。
【図１８】  図１８は、図１７における靴の諸構成要素の範囲内で使われた集成体としての中底における細部の図である。
【図１９】  図１９は、この靴の第８実施態様における細部の拡大断面図である。
【図２０】  図２０は、図１９における靴の諸構成要素の範囲内で使われた甲革の細部の断面図である。
【図１】
0004610148.tif 000002
【図２】
0004610148.tif 000003
【図３】
0004610148.tif 000004
【図４】
0004610148.tif 000005
【図６】
0004610148.tif 000006
【図８】
0004610148.tif 000007
【図５】
0004610148.tif 000008
【図７】
0004610148.tif 000009
【図９】
0004610148.tif 000010
【図１０】
0004610148.tif 000011
【図１１】
0004610148.tif 000012
【図１４】
0004610148.tif 000013
【図１６】
0004610148.tif 000014
【図１２】
0004610148.tif 000015
【図１３】
0004610148.tif 000016
【図１５】
0004610148.tif 000017
【図１７】
0004610148.tif 000018
【図１８】
0004610148.tif 000019
【図１９】
0004610148.tif 000020
【図２０】
0004610148.tif 000021